(57)【特許請求の範囲】
【請求項１】
壁面などに取り付けるための固定部と、ロールペーパーを保持するために筒芯内に挿入して用いるロールペーパー保持部とを有するロールペーパーホルダー支持体を備え、
ペーパーカッターと、ロールペーパーをカットする際、前記筒芯に抵抗を与えてロールペーパーの回転を止めるための回転抑制部とを有するペーパーカット機構を備え、
前記ペーパーカット機構がペーパーカット機構支持部を回転中心として前記ロールペーパーホルダー支持体に接続されているロールペーパーホルダーであって、
前記ロールペーパーホルダー支持体と前記ペーパーカット機構とが、それぞれ1枚の板状材料からなることを特徴とするロールペーパーホルダー。
【請求項２】
前記ペーパーカット機構支持部の他に、前記筒芯の中心軸方向への前記回転抑制部の動きを制限するための回転抑制部ガイドを有することを特徴とする請求項１に記載のロールペーパーホルダー。
【発明の詳細な説明】
【技術分野】
【０００１】
本発明は、例えばトイレットペーパーなどを片手で切断するためのロールペーパーホルダーに関する。
【背景技術】
【０００２】
従来、トイレットペーパーなどを切断するためのロールペーパーホルダーにおいては、衛生面、利便性の観点から、片手のみで容易に切断でき、かつ切断部がペーパーカッターで隠れることが無く、そのまま掴め、引き続き引き出して切断できるロールペーパーホルダーが提案されてきた。
【０００３】
この種のロールペーパーホルダーとしては特許文献1に開示された物が知られている。
【０００４】
このロールペーパーホルダーにおいては、カットバーに負荷をかけた際、ロールペーパーを保持する支持筒内部よりストッパーが出没してロールペーパーを抑える仕組みとなっており、ロールペーパーの量にかかわらず、ストッパーが筒芯を押圧することで、確実にペーパーを切断することが出来る。
【先行技術文献】
【特許文献】
【０００５】
【特許文献１】特開２０１０−１２０６３号公報
【発明の概要】
【発明が解決しようとする課題】
【０００６】
しかしながら、前記文献開示のロールペーパーホルダーにおいては、機構が複雑で部品点数が多く、安価に作成できない。さらに、ペーパーが減ってくると、カット後のペーパーがカットバーに近い位置にあるため、次にペーパーをつかむ際カットバーが邪魔になる。また、ストッパーの支持軸が支持筒内部にあってストッパーとの距離を取れないために、カットバーを大きく動かさないとストッパーが機能せず、使用者が使用方法を理解しづらいという欠点もあった。
【０００７】
本発明は上記に鑑みてなされた物であり、ペーパーの残量にかかわらず、ペーパーをつかみやすく、ペーパーを片手で確実かつ容易に切断でき、仕組みを簡便にすることにより安価で、かつ形状に多様性を持たせ、デザイン性にも優れたロールペーパーホルダーの提供を目的とする。
【課題を解決するための手段】
【０００８】
上記課題を解決するために本発明に係るロールペーパーホルダーは、壁面などに取り付けるための固定部と、ロールペーパーを保持するために筒芯内に挿入して用いるロールペーパー保持部とを有するロールペーパーホルダー支持体を備え、ペーパーカッターと、ロールペーパーをカットする際、筒芯に抵抗を与えてロールペーパーの回転を止めるための回転抑制部とを有するペーパーカット機構を備え、ペーパーカット機構がペーパーカット機構支持部を回転中心としてロールペーパーホルダー支持体に接続されているロールペーパーホルダーであって、ロールペーパーホルダー支持体と前記ペーパーカット機構とが、それぞれ1枚の板状材料からなることを特徴とするロールペーパーホルダーである。
【０００９】
また、前記構成において、ペーパーカット機構支持部の他に、前記筒芯の中心軸方向への前記回転抑制部の動きを制限するための回転抑制部ガイドを有しているものである。
【発明の効果】
【００１０】
本発明によれば、ペーパーの残量にかかわらず、ペーパーを片手でつかみやすく、片手で確実かつ容易に切断できる。さらに、仕組みを簡便にすることにより、安価で、かつ形状に多様性を持たせ、デザイン性にも優れたロールペーパーホルダーを提供することが出来る。
【図面の簡単な説明】
【００１１】
【図１】本発明の実施形態に係るロールペーパーホルダーの斜視図である。
【図２】本発明の実施形態に係るロールペーパーホルダー支持体の斜視図である。
【図３】本発明の実施形態に係るペーパーカット機構の斜視図である。
【発明を実施するための形態】
【００１２】
本発明の実施の形態を、以下図面を用いて説明する。
【実施例】
【００１３】
図１は本発明によるロールペーパーホルダーの実施形態を示す斜視図である。固定部３によりロールペーパーホルダーが壁面等に固定された状態を示している。
【００１４】
一般的なロールペーパーホルダーにおいては、ペーパー引き出し時のロールペーパー３０の回転抑制とペーパー３１のカットを兼ねたロールペーパーカバーを用いることが多いが、本発明においては、ロールペーパーカバーを必要としない。このためロールペーパー３０の交換の際、いちいちロールペーパーカバーを持ち上げる操作が必要なく、大変便利である。もちろんデザイン性、その他の目的で、本発明にロールペーパーカバーを加えることは何ら問題が無い。
【００１５】
ここで、ロールペーパー保持部４と回転抑制部５はロールペーパーの筒芯２０内に収まるサイズで作ってある。図１から分かるようにロールペーパー３０は横から差し込むだけで、容易に出し入れが出来る。そして、ロールペーパー保持部４の端に適当な傾斜をつけたり、段差をつけたりしておけば、使用時のロールペーパー３０の脱落も防止できる。
【００１６】
図1を見てわかるように、ペーパーをカットするには、まず、ペーパー３１を所望の量だけ引き出し、引き上げてペーパーカッター６に当てる。このまま引き上げると、上に引き上げる力により、ペーパーカッター６が一緒に上に上がり、ペーパーカット機構支持部７を回転中心として、回転抑制部５が下がって筒芯２０に接触する。
【００１７】
そして、回転抑制部５の接触によってロールペーパー３０の回転がとめられ、ペーパーが引き出せなくなるため、ペーパーカッター６において、ペーパー３１がカットされる。ペーパー３１がカットされると、ペーパーカッター６への負荷が無くなるので、ペーパーカッター６は下に下がり、回転抑制部５は上に上がる。この時、ペーパー３１は垂れ下がった状態となり、ペーパーカッター６とロールペーパー３０の間には距離があるため、ひき続きペーパー３１を掴んで引き出すことが出来る。この垂れ下がり量はロールペーパー３０とペーパーカッター６の位置関係で決めることができる。
【００１８】
ここではペーパーカッター６を直線的な刃で示したが、カットをより確実にするためにノコギリ刃形状にしても良い。
【００１９】
回転抑制部５が筒芯２０に加える力は、ペーパーカット機構支持部７の位置と回転抑制部５の摩擦抵抗によって決まる。このため、回転抑制部５の表面にシリコーン樹脂などの摩擦抵抗の高い材料を用いると、より確実にロールペーパー３０の回転を抑制できる。また、ペーパーカット機構支持部７の位置が、回転抑制部５とペーパーカッター６の中央よりも回転抑制部５に近いと、力のモーメントの違いにより、ペーパーカッター６に加えた力よりも大きな力を筒芯２０に加えることが出来る。ただし、あまり近すぎると、カット時のペーパーカッター６の動きが大きくなり違和感が出るので、ペーパーカット機構支持部７は筒芯２０よりはペーパーカッター６に近い位置にあることが好ましい。
【００２０】
ペーパーカッター６の重量を回転抑制部５よりも十分重くすれば、ペーパーカット機構支持部７の位置を中央よりもペーパーカッター６に近い位置にし、ペーパーカッター６の動きをより小さくすることもできる。この際には、回転抑制部５の摩擦抵抗を高くする工夫をした方がよい。
【００２１】
また、ロールペーパー保持部４は一般的な棒状の物でも良いが、板状にして筒芯２０に筒芯２０内円周方向で２箇所接触する形状の物が好ましい。棒状で、筒芯２０内での接触が１箇所であると、ペーパー３１を引き出す際にロールペーパー３０が揺れて、回転抑制部５に接触する事がある。図のように板状の２点接触であれば、重心が安定し、ペーパー３１を引き出す際、揺れが生じにくいし、カット時に回転抑制部５で筒芯２０を押さえると筒芯２０を３箇所で押さえることとなり、非常に安定する。また、ペーパー３１引き出しの際適度な摩擦抵抗を与えることが出来る。
【００２２】
図２は本実施形態によるペーパーホルダー支持体１を示す斜視図である。図３は実施形態によるペーパーカット機構２を示す斜視図である。ペーパーカット機構２における開口部１１は楕円形状であり、長径がペーパーホルダー支持体１における突起部１０の高さ方向の幅よりもやや大きく、短径がやや小さくしておく。これによって、ペーパーカット機構２を９０度起こした状態で、開口部１１を突起部１０に差し込み、９０度回して元の状態に戻せば、図１に示すように抜け落ちること無く、ペーパーホルダー支持体１とペーパーカット機構２を接続することが出来る。突起部１０と開口部１１の形状と抜け落ち防止方法は、本実施例に限る物では無く、例えば、開口部１１の開口幅が突起部１０の挿入位置から支持位置に移動させると小さくなるような形でも良いし、挿入後突起部に抜け落ち防止の部材を取り付けても良い。
【００２３】
ここで、ペーパーカット機構位置決め部８に関しては、ロールペーパーホルダー支持体１の一部であればどこでもよく、例えば、回転抑制部５に突起を設けて、ロールペーパー保持部４に接触して、静止するようにする場合は、ロールペーパー保持部４の接触点がペーパーカット機構位置決め部８となる。
【００２４】
本実施形態では、ペーパーカット機構支持部７ａにおいて、ペーパーカット機構２がロールペーパーホルダー支持体１に乗っているだけなので、回転抑制部５が左右に動きやすい。これを回避するために、回転抑制部ガイド９を設けると良い。本実施例では回転抑制部ガイド９は回転抑制部５に直接接する形で片側のみにつけたが、もちろん両側につけても良いし、回転抑制部５から離れた位置にあっても構わない。また、回転抑制部５は丸みをつけてロールペーパー３０挿入の際引っかからないようにすることが好ましい。
【００２５】
そして、本実施形態で最も重要なことは、ロールペーパーホルダー支持体１，ペーパーカット機構２ともが、それぞれ１枚の板を用いて構成できることである。それぞれの作成においては、１枚の板を切断し、曲げ加工すればよい。さらに、ヒンジ等の連結部品を取り付ける必要が無く、単にはめ込むだけなので、材料コスト、組立コストとも非常に安価にすることが出来る。
【００２６】
また、ペーパーカット機構２は容易に取り外しが出来るので、掃除等の手入れがしやすく、曲がったり錆びたりして交換したいときにも大変便利である。また、ペーパーカット機構２で様々なデザインのものを作って、同じロールペーパーホルダー支持体１に取り付け交換が出来るというメリットもある。
【００２７】
以上述べたように、本発明によるロールペーパーホルダーは、ペーパーの残量にかかわらず、ペーパーをつかみやすく、ペーパーを片手で確実かつ容易に切断でき、仕組みを簡便にすることにより安価で、かつ形状に多様性を持たせ、デザイン性にも優れている。
【符号の説明】
【００２８】
１  ロールペーパーホルダー支持体
２  ペーパーカット機構
３  固定部
４  ロールペーパー保持部
５  回転抑制部
６  ペーパーカッター
７，７ａ，７ｂ  ペーパーカット機構支持部
８  ペーパーカット機構位置決め部
９  回転抑制部ガイド
１０  突起部
１１  開口部
２０  筒芯
３０  ロールペーパー
３１  ペーパー
【要約】 
【課題】  ペーパーをつかみやすく、片手で確実かつ容易に切断でき、仕組みを簡便にすることにより安価で、形状に多様性を持たせたロールペーパーホルダーを提供する。
【解決手段】  固定部と、ロールペーパー保持部とを有するロールペーパーホルダー支持体を備え、ペーパーカッターと、回転抑制部とを有するペーパーカット機構を備え、ペーパーカット機構がペーパーカット機構支持部を回転中心として前記ロールペーパーホルダー支持体に接続されており、ロールペーパーホルダー支持体とペーパーカット機構とが、それぞれ1枚の板状材料からなるロールペーパーホルダーを用いる。
【選択図】  図１【図１】
0006853425.tif 000002
【図２】
0006853425.tif 000003
【図３】
0006853425.tif 000004